(57)【要約】【課題】  誘電体ブロックを作製した後であっても、飛び越し容量結合の状態を調整するなどして、周波数特性を調整できる誘電体フィルタを提供する。【解決手段】  誘電体ブロック１と、誘電体ブロック１の内部に延在する第１内導体および第２内導体と、外導体３と、を備え、誘電体ブロック１の外表面から内部に向かって形成された、スリット４を、さらに備え、第１内導体は、スリット４を間に介して配置された、第１主内導体９と、第１補助内導体１０と、第１主内導体９と第１補助内導体１０とを接続する第１接続内導体１１と、を含み、第２内導体は、スリット４を間に介して配置された、第２主内導体１２と、第２補助内導体１３と、を含むものとする。【選択図】  図３
2019220843.tif 000002
【特許請求の範囲】
【請求項１】
下面と、上面と、正面と、背面と、１対の第１側面と第２側面とを含む外表面を備えた誘電体ブロックと、
前記誘電体ブロックの内部であって、前記正面と前記背面とが対向する方向に延在する第１内導体および第２内導体と、
前記誘電体ブロックの前記外表面に形成された少なくとも１対の入出力端子と、
前記誘電体ブロックの前記外表面に形成され、接地される外導体と、を備えた誘電体フィルタであって、
前記誘電体ブロックの前記外表面から内部に向かって形成された、第１スリットおよび第２スリットを、さらに備え、
前記第１内導体は、前記第１スリットを間に介して配置された、第１主内導体と、第１補助内導体と、前記第１主内導体と前記第１補助内導体とを接続する第１接続内導体と、を含み、
前記第２内導体は、前記第２スリットを間に介して配置された、第２主内導体と、第２補助内導体と、を含むことを特徴とする、誘電体フィルタ。
【請求項２】
前記誘電体ブロックの内部であって、前記正面と前記背面と対向する方向に延在する第３内導体と、
前記誘電体ブロックの外表面から内部に向かって形成された、第３スリットと、をさらに備え、
前記第３内導体は、前記第３スリットを介して配置された、第３主内導体と、第３補助内導体と、前記第３主内導体と前記第３補助内導体とを接続する第３接続内導体と、を含み、
前記第１内導体と、少なくとも１つの前記第２内導体と、前記第３内導体とが、前記第１側面から前記第２側面に向かう方向へ順に配列され、
前記第１補助内導体と接続された第１補助平面導体、および、前記第３補助内導体と接続された第３補助平面導体の少なくとも一方が、更に形成され、
前記第１補助平面導体と前記第３補助平面導体とが対向して配置されるか、前記第１補助平面導体と前記第３補助内導体とが対向して配置されるか、または、前記第１補助内導体と前記第３補助平面導体とが対向して配置された、請求項１に記載された誘電体フィルタ。
【請求項３】
前記第１スリット、前記第２スリット、前記第３スリットは、前記第１側面と前記第２側面とを結ぶ方向に、直方体形状に形成される１つのスリットである請求項２に記載された誘電体フィルタ。
【請求項４】
前記第１スリット、前記第２スリット、前記第３スリットは、前記第１側面と前記第２側面と前記下面を含んで直方体形状に形成される１つのスリットである、請求項３に記載された誘電体フィルタ。
【請求項５】
前記誘電体ブロックの前記正面から内部に向かって形成された凹部を、さらに備え、
前記凹部は、前記第１補助内導体、第２補助内導体、および、前記第３補助内導体の少なくとも１つに達している、請求項２ないし４のいずれか１項に記載された誘電体フィルタ。
【発明の詳細な説明】
【技術分野】
【０００１】
本発明は、誘電体ブロックと、誘電体ブロックの外表面に形成された外導体と、誘電体ブロックの内部に形成された複数の内導体と、を備えた誘電体フィルタに関する。
【背景技術】
【０００２】
通信機器などの電子機器に、誘電体フィルタが広く使用されている。図１１（Ａ）に、特許文献１（特開２００２-５０９０６号公報）に開示された誘電体フィルタ１１００を示す。
【０００３】
誘電体フィルタ１１００は、上から順番に誘電体基板１０１、１０２、１０３が接合された誘電体ブロックを備えている。誘電体基板１０１の下側主面には、４つの凹溝１０４が形成されている。誘電体基板１０２の上側主面には、入出力結合容量を構成するための導体パターン１０５ａ、１０５ｂが形成されている。誘電体基板１０３の上側主面には、共振器間を容量結合させるための導体パターン１０６、１０７が形成されている。
【０００４】
誘電体ブロックの外表面に導体が付着されて外導体が形成されている。凹溝１０４と誘電体基板１０２の上側主面とで構成される貫通孔の内面に導体が付着されて内導体が形成されている。この結果、誘電体フィルタ１１００は、誘電体ブロックに、左から順番に１段目〜４段目の共振器１０８ａ、１０８ｂ、１０８ｃ、１０８ｄが形成されている。
【０００５】
誘電体フィルタ１１００は、導体パターン１０６によって、隣接する共振間を容量結合させ、離れた共振器間を飛び越し容量結合させている。また、導体パターン１０７によって、隣接する共振間を容量結合させ、離れた共振器間を飛び越し容量結合させている。
【０００６】
また、誘電体フィルタにおいて、誘電体ブロックにスリットを設ける場合がある。たとえば、図１１（Ｂ）に示す、特許文献２（特開平９-２２３９０４号公報）に開示された誘電体フィルタ１２００は、誘電体ブロック２０１にスリット（溝）２０２が形成されている。スリット２０２は、誘電体ブロック２０１に形成された２つの内導体２０３を、全周にわたって切断するように形成されている。
【先行技術文献】
【特許文献】
【０００７】
【特許文献１】特開２００２-５０９０６号公報
【特許文献２】特開平９-２２３９０４号公報
【発明の概要】
【発明が解決しようとする課題】
【０００８】
誘電体フィルタ１１００は、導体パターン１０６、１０７が、誘電体ブロックの内部である誘電体基板１０２と誘電体基板１０３との間に形成されているため、誘電体ブロックを作製した後に、導体パターン１０６、１０７を削るなどして周波数特性を調整することができないという問題があった。たとえば、誘電体フィルタ１１００では、導体パターン１０６、１０７が、隣接する共振間の容量結合や、離れた共振器間の飛び越し容量結合に使用されているが、誘電体ブロックを作製した後に、導体パターン１０６、１０７を削るなどして、これらの容量結合の状態を調整することができなかった。
【０００９】
なお、特許文献２に開示された誘電体フィルタ１２００は、参考として提示したものであり、本願発明に対する課題を備えたものではない。
【課題を解決するための手段】
【００１０】
本発明は、上述した従来の問題を解決するためになされたものであり、その手段として、本発明の一実施態様にかかる誘電体フィルタは、下面と、上面と、正面と、背面と、１対の第１側面と第２側面とを含む外表面を備えた誘電体ブロックと、誘電体ブロックの内部であって、正面と背面とが対向する方向に延在する第１内導体および第２内導体と、誘電体ブロックの外表面に形成された少なくとも１対の入出力端子と、誘電体ブロックの外表面に形成され、接地される外導体と、を備え、誘電体ブロックの外表面から内部に向かって形成された、第１スリットおよび第２スリットを、さらに備え、第１内導体は、第１スリットを間に介して配置された、第１主内導体と、第１補助内導体と、第１主内導体と第１補助内導体とを接続する第１接続内導体と、を含み、第２内導体は、第２スリットを間に介して配置された、第２主内導体と、第２補助内導体と、を含むものとする。
【発明の効果】
【００１１】
本発明の誘電体フィルタは、誘電体ブロックを作製した後であっても、第１スリットや第２スリットの幅や深さや形成位置などを調整することによって、周波数特性を調整することができる。
【図面の簡単な説明】
【００１２】
【図１】図１（Ａ）は、第１実施形態にかかる誘電体フィルタ１００を正面側からみた斜視図である。図１（Ｂ）は、誘電体フィルタ１００を背面側からみた斜視図である。
【図２】図２（Ａ）は、誘電体フィルタ１００の断面図である。図２（Ｂ）は、誘電体フィルタ１００の側面図である。
【図３】誘電体フィルタ１００の部分透視斜視図である。
【図４】誘電体フィルタ１００の分解斜視図である。
【図５】誘電体フィルタ１００の等価回路図である。
【図６】誘電体フィルタ１００の周波数特性を示すグラフである。
【図７】第２実施形態にかかる誘電体フィルタ２００を示す断面図である。
【図８】第３実施形態にかかる誘電体フィルタ３００を示す断面図である。
【図９】第４実施形態にかかる誘電体フィルタ４００を示す正面図である。
【図１０】第５実施形態にかかる誘電体フィルタ５００を正面側からみた斜視図である。
【図１１】図１１（Ａ）は、特許文献１に開示された誘電体フィルタ１１００の分解斜視図である。図１１（Ｂ）は、特許文献２に開示された誘電体フィルタ１２００の透視斜視図である。
【発明を実施するための形態】
【００１３】
以下、図面とともに、本発明を実施するための形態について説明する。
【００１４】
上述したとおり、本発明の一実施態様にかかる誘電体フィルタは、下面と、上面と、正面と、背面と、１対の第１側面と第２側面とを含む外表面を備えた誘電体ブロックと、誘電体ブロックの内部であって、正面と背面とが対向する方向に延在する第１内導体および第２内導体と、誘電体ブロックの外表面に形成された少なくとも１対の入出力端子と、誘電体ブロックの外表面に形成され、接地される外導体と、を備え、誘電体ブロックの外表面から内部に向かって形成された、第１スリットおよび第２スリットを、さらに備え、第１内導体は、第１スリットを間に介して配置された、第１主内導体と、第１補助内導体と、第１主内導体と第１補助内導体とを接続する第１接続内導体と、を含み、第２内導体は、第２スリットを間に介して配置された、第２主内導体と、第２補助内導体と、を含んでいる。
【００１５】
この場合において、誘電体ブロックの内部であって、正面と背面と対向する方向に延在する第３内導体と、誘電体ブロックの外表面から内部に向かって形成された、第３スリットと、をさらに備え、第３内導体は、第３スリットを介して配置された、第３主内導体と、第３補助内導体と、第３主内導体と第３補助内導体とを接続する第３接続内導体と、を含み、第１内導体と、少なくとも１つの第２内導体と、第３内導体とが、第１側面から第２側面に向かう方向へ順に配列され、第１補助内導体と接続された第１補助平面導体、および、第３補助内導体と接続された第３補助平面導体の少なくとも一方が、更に形成され、第１補助平面導体と第３補助平面導体とが対向して配置されるか、第１補助平面導体と第３補助内導体とが対向して配置されるか、または、第１補助内導体と第３補助平面導体とが対向して配置されたものとしてもよい。この場合には、第１補助平面導体と第３補助平面導体との間に発生する容量、第１補助平面導体と第３補助内導体との間に発生する容量、または、第１補助内導体と第３補助平面導体との間に発生する容量によって、第１内導体によって形成された共振器と、第３内導体によって形成された共振器とを、飛び越し容量結合させることができる。
【００１６】
また、この場合において、第１スリット、第２スリット、第３スリットは、第１側面と第２側面とを結ぶ方向に、直方体形状に形成される１つのスリットであってもよい。この場合には、第１スリット、第２スリット、第３スリットを、容易に形成することができる。
【００１７】
また、この場合において、第１スリット、第２スリット、第３スリットは、第１側面と第２側面と下面を含んで直方体形状に形成される１つのスリットであってもよい。この場合には、第１スリット、第２スリット、第３スリットを、さらに容易に形成することができる。
【００１８】
また、以上の各実施態様において、誘電体ブロックの正面から内部に向かって形成された凹部を、さらに備え、凹部は、第１補助内導体、第２補助内導体、および、第３補助内導体の少なくとも１つに達しているものとしてもよい。この場合には、凹部の形状、大きさ、深さ、形成位置、数などを調整することにより、誘電体ブロックを作製した後に、周波数特性を微調整することができる。
【００１９】
以下に、複数の実施形態について説明する。ただし、各実施形態は、本発明の実施の形態を例示的に示したものであり、本発明が実施形態の内容に限定されることはない。また、異なる実施形態に記載された内容を組合せて実施することも可能であり、その場合の実施内容も本発明に含まれる。また、図面は、明細書の理解を助けるためのものであって、模式的に描画されている場合があり、描画された構成要素または構成要素間の寸法の比率が、明細書に記載されたそれらの寸法の比率と一致していない場合がある。また、明細書に記載されている構成要素が、図面において省略されている場合や、個数を省略して描画されている場合などがある。
【００２０】
［第１実施形態］
図１（Ａ）、（Ｂ）、図２（Ａ）、（Ｂ）、図３、図４に、第１実施形態にかかる誘電体フィルタ１００を示す。ただし、図１（Ａ）は、誘電体フィルタ１００を正面１Ｆ側からみた斜視図である。図１（Ｂ）は、誘電体フィルタ１００を背面１Ｅ側からみた斜視図である。図２（Ａ）は、誘電体フィルタ１００の断面図であり、図１（Ａ）および（Ｂ）において一点鎖線で示したＸ-Ｘ部分を示している。図２（Ｂ）は、誘電体フィルタ１００の側面図である。図３は、誘電体フィルタの部分透視斜視図である。図３においては、上側誘電体ブロック１ａおよび外導体３を省略し、誘電体フィルタ１００の内部を示している。図４は、誘電体フィルタ１００の分解斜視図である。
【００２１】
誘電体フィルタ１００は、誘電体ブロック１を備えている。誘電体ブロック１は、上側誘電体ブロック１ａと下側誘電体ブロック１ｂとが接合されたものからなる。誘電体ブロック１の材質は任意であるが、たとえば、チタン酸マグネシウムを使用することができる。
【００２２】
誘電体ブロック１は、直方体形状からなり、下面１Ｂと、上面１Ｔと、正面１Ｆと、背面１Ｅと、１対の側面１Ｓ１、１Ｓ２とを備えている。
【００２３】
誘電体ブロック１は、側面１Ｓ１に入出力端子２ａが形成され、側面１Ｓ２に入出力端子２ｂが形成されている。入出力端子２ａ、２ｂは、それぞれ、誘電体ブロック１の下面１Ｂ側に延出されている。
【００２４】
誘電体ブロック１の外表面の所定の位置に、導体が付着され、外導体３が形成されている。本実施形態においては、誘電体ブロック１の下面１Ｂ、上面１Ｔ、背面１Ｅ、側面１Ｓ１、１Ｓ２に外導体３が形成されている。ただし、誘電体ブロック１の下面１Ｂおよび側面１Ｓ１、１Ｓ２においては、外導体３は、入出力端子２ａ、２ｂと短絡しないように、入出力端子２ａ、２ｂから間隔を空けて形成されている。また、誘電体ブロック１の正面１Ｆには、誘電体ブロック１の下面１Ｂに形成された外導体３と上面１Ｔに形成された外導体３とを接続するための幅の細い外導体３ａが形成されている。
【００２５】
外導体３、３ａの材質は任意であるが、たとえば銀を使用することができる。
【００２６】
誘電体ブロック１に、スリット４が形成されている。スリット４は、誘電体ブロック１の下面１Ｂと１対の側面１Ｓ１、１Ｓ２に開口を有している。スリット４は、後述する共振器孔８ａ〜８ｆと交差する方向に形成されている。スリット４は、誘電体ブロック１の背面１Ｅよりも、正面１Ｆに近い側に形成されている。スリット４は、誘電体ブロック１の下面１Ｂからの高さが一定になるように形成されている。
【００２７】
図３、図４に示すように、下側誘電体ブロック１ｂは、スリット４によって、正面１Ｆ側と、背面１Ｅ側の、２つのブロックに分断されている。背面１Ｅ側の下側誘電体ブロック１ｂの上側主面に、接続導体５ａ、５ｂ、キャパシタ電極６ａ、６ｂ、６ｃ、６ｄ、６ｅ、６ｆ、６ｇ、６ｈ、６ｉ、６ｊが形成されている。正面１Ｆ側の下側誘電体ブロック１ｂの上側主面に、第１補助平面導体７ａ、第３補助平面導体７ｂ、第１補助平面導体７ｃ、第３補助平面導体７ｄが形成されている。
【００２８】
接続導体５ａ、５ｂ、キャパシタ電極６ａ〜６ｊ、第１補助平面導体７ａ、７ｃ、第３補助平面導体７ｂ、７ｄの材質はそれぞれ任意であるが、たとえば銀を使用することができる。
【００２９】
上側誘電体ブロック１ａの下側主面に６本の凹溝が形成されている。６本の凹溝は、それぞれ、誘電体ブロック１の正面１Ｆと背面１Ｅとが対向する方向に形成されている。
【００３０】
上側誘電体ブロック１ａと下側誘電体ブロック１ｂとを接合することにより、上側誘電体ブロック１ａの下側主面に形成された凹溝と、下側誘電体ブロック１ｂの上側主面とで、６本の共振器孔８ａ、８ｂ、８ｃ、８ｄ、８ｅ、８ｆが形成されている。
【００３１】
なお、本実施形態においては、図２（Ａ）に示すように、上側誘電体ブロック１ａの下側主面に形成された凹溝の深さを調整することによって、共振器孔８ｂ、８ｅの縦方向の大きさを、共振器孔８ａ、８ｃ、８ｄ、８ｆの縦方向の大きさよりも小さくしている。その結果、共振器孔８ｂ、８ｅの内天面の下面１Ｂからの高さが、共振器孔８ａ、８ｃ、８ｄ、８ｆの内天面の下面１Ｂからの高さよりも低くなっている。
【００３２】
共振器孔８ａ〜８ｆの内面には、それぞれ、導体が付着されている。これらの共振器孔８ａ〜８ｆのうち、共振器孔８ａ、８ｄに第１内導体が、共振器孔８ｂ、８ｅに第２内導体が、共振器孔８ｃ、８ｆに第３内導体が、それぞれ形成される。
【００３３】
スリット４は、共振器孔８ａ〜８ｆ、および、共振器孔８ａ〜８ｆの内面に付着された導体を分断している。
【００３４】
共振器孔８ａ、８ｄおよび、共振器孔８ａ、８ｄの内面に付着された導体は、スリット４によって、不完全に分断されている。すなわち、スリット４は、共振器孔８ａ、８ｄの内天面部分、および、その部分に付着された導体は分断せずに残している。共振器孔８ａ、８ｄの内面に付着された導体は、それぞれ、スリット４によって不完全に分断され、誘電体ブロック１の背面１Ｅ側に第１主内導体９、誘電体ブロック１の正面１Ｆ側に第１補助内導体１０が構成されている。そして、第１主内導体９と第１補助内導体１０とが、分断されずに共振器孔８ａ、８ｄの内天面部分に残った導体からなる第１接続内導体１１によって、電気的に接続されている。第１主内導体９と第１補助内導体１０と第１接続内導体１１とで、第１内導体が構成されている。
【００３５】
共振器孔８ｂ、８ｅ、および、共振器孔８ｂ、８ｅの内面に付着された導体は、スリット４によって完全に分断されている。スリット４によって完全に分断された共振器孔８ｂ、８ｅの内面に付着された導体は、誘電体ブロック１の背面１Ｅ側が第２主内導体１２、誘電体ブロック１の正面１Ｆ側が第２補助内導体１３を構成している。第２主内導体１２と第２補助内導体１３とは、電気的に絶縁されている。第２主内導体１２と第２補助内導体１３とで、第２内導体が構成されている。
【００３６】
共振器孔８ｃ、８ｆおよび、共振器孔８ｃ、８ｆの内面に付着された導体は、スリット４によって、不完全に分断されている。すなわち、スリット４は、共振器孔８ｃ、８ｆの内天面部分、および、その部分に付着された導体は分断せずに残している。共振器孔８ｃ、８ｆの内面に付着された導体は、それぞれ、スリット４によって不完全に分断され、誘電体ブロック１の背面１Ｅ側に第３主内導体１４、誘電体ブロック１の正面１Ｆ側に第３補助内導体１５が構成されている。そして、第３主内導体１４と第３補助内導体１５とが、分断されずに共振器孔８ｃ、８ｆの内天面部分に残った導体からなる第３接続内導体１６によって、電気的に接続されている。第３主内導体１４と第３補助内導体１５と第３接続内導体１６とで、第３内導体が構成されている。
【００３７】
第１主内導体９、第２主内導体１２、第３主内導体１４は、それぞれ、誘電体ブロック１の背面１Ｅにおいて、外導体３と電気的に接続されている。
【００３８】
第１主内導体９、第１補助内導体１０、第１接続内導体１１、第２主内導体１２、第２補助内導体１３、第３主内導体１４、第３補助内導体１５、第３接続内導体１６の材質は、それぞれ任意であるが、たとえば銀を使用することができる。
【００３９】
共振器孔８ａに形成された、第１主内導体９、第１接続内導体１１、第１補助内導体１０と、外導体３とで、１段目の共振器Ｒｅ１が形成されている。
【００４０】
共振器孔８ｂに形成された、第２主内導体１２と、外導体３とで、２段目の共振器Ｒｅ２が形成されている。
【００４１】
共振器孔８ｃに形成された、第３主内導体１４、第３接続内導体１６、第３補助内導体１５と、外導体３とで、３段目の共振器Ｒｅ３が形成されている。
【００４２】
共振器孔８ｄに形成された、第１主内導体９、第１接続内導体１１、第１補助内導体１０と、外導体３とで、４段目の共振器Ｒｅ４が形成されている。
【００４３】
共振器孔８ｅに形成された、第２主内導体１２と、外導体３とで、５段目の共振器Ｒｅ５が形成されている。
【００４４】
共振器孔８ｆに形成された、第３主内導体１４、第３接続内導体１６、第３補助内導体１５と、外導体３とで、６段目の共振器Ｒｅ６が形成されている。
【００４５】
入出力端子２ａと１段目の共振器Ｒｅ１とが、接続導体５ａによって電気的に接続されている。１段目の共振器Ｒｅ１に、キャパシタ電極６ａが電気的に接続されている。２段目の共振器Ｒｅ２に、キャパシタ電極６ｂとキャパシタ電極６ｃとが、それぞれ電気的に接続されている。３段目の共振器Ｒｅ３に、キャパシタ電極６ｄとキャパシタ電極６ｅとが、それぞれ電気的に接続されている。４段目の共振器Ｒｅ４に、キャパシタ電極６ｆとキャパシタ電極６ｇとが、それぞれ電気的に接続されている。５段目の共振器Ｒｅ５に、キャパシタ電極６ｈとキャパシタ電極６ｉとが、それぞれ電気的に接続されている。６段目の共振器Ｒｅ６に、キャパシタ電極６ｊが電気的に接続されている。６段目の共振器Ｒｅ６と入出力端子２ｂとが、接続導体５ｂによって電気的に接続されている。
【００４６】
また、１段目の共振器Ｒｅ１の第１補助内導体１０が、第１補助平面導体７ａに電気的に接続されている。３段目の共振器Ｒｅ３の第３補助内導体１５が、第３補助平面導体７ｂに電気的に接続されている。４段目の共振器Ｒｅ４の第１補助内導体１０が、第１補助平面導体７ｃに電気的に接続されている。６段目の共振器Ｒｅ６の第３補助内導体１５が、第３補助平面導体７ｄに電気的に接続されている。
【００４７】
なお、共振器孔８ｂの第２補助内導体１３と第１補助平面導体７ａも電気的に接続されているが、この部分は、特に導電経路にはなっていない。また、共振器孔８ｅの第２補助内導体１３と第３補助平面導体７ｄも電気的に接続されているが、この部分も、特に導電経路にはなっていない。
【００４８】
誘電体フィルタ１００は、図５に示す等価回路を備えている。
【００４９】
入出力端子２ａと１段目の共振器Ｒｅ１とが、接続導体５ａによって電気的に接続されている。キャパシタ電極６ａとキャパシタ電極６ｂとで構成されるキャパシタＣ１２によって、１段目の共振器Ｒｅ１と２段目の共振器Ｒｅ２が容量結合している。キャパシタ電極６ｃとキャパシタ電極６ｄとで構成されるキャパシタＣ２３によって、２段目の共振器Ｒｅ２と３段目の共振器Ｒｅ３が容量結合している。キャパシタ電極６ｅとキャパシタ電極６ｆとで構成されるキャパシタＣ３４によって、３段目の共振器Ｒｅ３と４段目の共振器Ｒｅ４が容量結合している。キャパシタ電極６ｇとキャパシタ電極６ｈとで構成されるキャパシタＣ４５によって、４段目の共振器Ｒｅ４と５段目の共振器Ｒｅ５が容量結合している。キャパシタ電極６ｉとキャパシタ電極６ｊとで構成されるキャパシタＣ５６によって、５段目の共振器Ｒｅ５と６段目の共振器Ｒｅ６が容量結合している。６段目の共振器Ｒｅ６と入出力端子２ｂとが、接続導体５ｂによって電気的に接続されている。
【００５０】
第１補助平面導体７ａと第３補助平面導体７ｂとの間に発生する容量によって、キャパシタＣ１３が構成されている。キャパシタＣ１３によって、１段目の共振器Ｒｅ１と３段目の共振器Ｒｅ３とが飛び越し容量結合している。
【００５１】
なお、本実施形態においては、第１補助平面導体７ａと第３補助平面導体７ｂとを対向させてキャパシタＣ１３を構成したが、これに代えて、第３補助平面導体７ｂを省略し、第１補助平面導体７ａと第３補助内導体１５とを対向させてキャパシタＣ１３を構成したり、第１補助平面導体７ａを省略し、第１補助内導体１０と第３補助平面導体７ｂとを対向させてキャパシタＣ１３を構成したりしてもよい。
【００５２】
第１補助平面導体７ｃと第３補助平面導体７ｄとの間に発生する容量によって、キャパシタＣ４６が構成されている。キャパシタＣ４６によって、４段目の共振器Ｒｅ４と６段目の共振器Ｒｅ６とが飛び越し容量結合している。
【００５３】
なお、本実施形態においては、第１補助平面導体７ｃと第３補助平面導体７ｄとを対向させてキャパシタＣ４６を構成したが、これに代えて、第３補助平面導体７ｄを省略し、第１補助平面導体７ｃと第３補助内導体１５とを対向させてキャパシタＣ４６を構成したり、第１補助平面導体７ｃを省略し、第１補助内導体１０と第３補助平面導体７ｄとを対向させてキャパシタＣ４６を構成したりしてもよい。
【００５４】
図６に、誘電体フィルタ１００の周波数特性を示す。Ｓ（２,１）特性から分かるように、誘電体フィルタ１００は、キャパシタＣ１３によって１段目の共振器Ｒｅ１と３段目の共振器Ｒｅ３とが飛び越し容量結合され、キャパシタＣ４６によって４段目の共振器Ｒｅ４と６段目の共振器Ｒｅ６とが飛び越し容量結合されているため、通過帯域の低周波側の外側に３つの極Ｐ１、Ｐ２、Ｐ３が形成され、減衰が急峻になり、良好な周波数特性を示している。
【００５５】
本実施形態にかかる誘電体フィルタ１００は、誘電体ブロック１を作製した後に形成する、スリット４の幅や深さや形成位置などを調整することによって、周波数特性を調整することができる。
【００５６】
誘電体フィルタ１００においては、Ｃ１２による１段目の共振器Ｒｅ１と２段目の共振器Ｒｅ２との容量結合の状態や、Ｃ２３による２段目の共振器Ｒｅ２と３段目の共振器Ｒｅ３との容量結合の状態に影響を与えることなく、Ｃ１３による１段目の共振器Ｒｅ１と３段目の共振器Ｒｅ３との飛び越し容量結合の状態を、独立して調整することが可能である。
【００５７】
同様に、誘電体フィルタ１００においては、Ｃ４５による４段目の共振器Ｒｅ４と５段目の共振器Ｒｅ５との容量結合の状態や、Ｃ５６による５段目の共振器Ｒｅ５と６段目の共振器Ｒｅ６との容量結合の状態に影響を与えることなく、Ｃ４６による４段目の共振器Ｒｅ４と６段目の共振器Ｒｅ６との飛び越し容量結合の状態だけを、独立して調整することが可能である。
【００５８】
また、誘電体フィルタ１００は、図２（Ａ）に示すように、共振器孔８ｂ、８ｅの内天面の下面１Ｂからの高さが、共振器孔８ａ、８ｃ、８ｄ、８ｆの内天面の下面１Ｂからの高さよりも低くなっている。そのため、スリット４の下面１Ｂからの高さを一定にすることによって、容易に、共振器孔８ｂ、８ｅに形成された第２内導体を完全に分断し、共振器孔８ａ、８ｄに形成された第１内導体を不完全に（第１接続内導体１１を残して）分断し、共振器孔８ｃ、８ｆに形成された第３内導体を不完全に（第３接続内導体１６を残して）分断することが可能になっている。
【００５９】
誘電体フィルタ１００は、たとえば、次の方法で製造することができる。
【００６０】
まず、未焼成の上側誘電体ブロック１ａと、未焼成の下側誘電体ブロック１ｂとを用意する。未焼成の上側誘電体ブロック１ａの下側主面には、予め、共振器孔８ａ〜８ｆを形成するための凹溝を形成しておく。
【００６１】
次に、下側誘電体ブロック１ｂの上側主面に、接続導体５ａ、５ｂ、キャパシタ電極６ａ〜６ｊ、第１補助平面導体７ａ、７ｃ、第３補助平面導体７ｂ、７ｄを形成するために、導電性ペーストを所望の形状に印刷する。
【００６２】
次に、未焼成の上側誘電体ブロック１ａと未焼成の下側誘電体ブロック１ｂとを一体化させたうえ、所定のプロファイルで焼成して、誘電体ブロック１を作製する。
【００６３】
次に、誘電体ブロック１に形成された共振器孔８ａ〜８ｆの内面に、導電性ペーストを付着させたうえ、焼付ける。
【００６４】
次に、誘電体ブロック１の外表面の所定の位置に、入出力端子２ａ、２ｂおよび外導体３を形成するために、導電性ペーストを所望の形状に印刷する。続いて、印刷した導電性ペーストを焼付ける。
【００６５】
次に、誘電体ブロック１に、たとえばダイサーによって、スリット４を形成する。この結果、第２内導体が、第２主内導体１２と第２補助内導体１３とに完全に分断される。また、第１内導体が、第１接続内導体１１を残して、第１主内導体９と第１補助内導体１０とに分断される。また、第３内導体が、第３接続内導体１６を残して、第３主内導体１４と第３補助内導体１５とに分断される。
【００６６】
以上により、誘電体フィルタ１００が完成する。
【００６７】
［第２実施形態］
図７に、第２実施形態にかかる誘電体フィルタ２００を示す。ただし、図７は、誘電体フィルタ２００の断面図である。
【００６８】
第２実施形態にかかる誘電体フィルタ２００は、第１実施形態にかかる誘電体フィルタ１００の構成の一部に変更を加えた。具体的には、誘電体フィルタ１００では、誘電体ブロック１の下面１Ｂと１対の側面１Ｓに開口を有する１つのスリット４を形成することによって、共振器孔８ａ〜８ｆの内面にそれぞれ付着されていた導体を一括して分断していた。誘電体フィルタ２００は、これに変更を加え、共振器孔８ａ〜８ｆごとに、それぞれ誘電体ブロック１の下面１Ｂに開口を有するスリット２４を形成し、共振器孔８ａ〜８ｆの内面に付着された導体を個別に分断するようにした。すなわち、誘電体フィルタ２００は、第１内導体、第２内導体、第３内導体を、個別に、スリット２４によって分断した。
【００６９】
なお、各スリット２４は、誘電体ブロック１の下面１Ｂからの高さが同じになるように形成されている。
【００７０】
誘電体フィルタ２００の他の構成は、誘電体フィルタ１００と同じにした。
【００７１】
このように、誘電体ブロック１に形成するスリットは１つである必要はなく、共振器孔８ａ〜８ｆごとに、複数のスリット２４を形成してもよい。
【００７２】
［第３実施形態］
図８に、第３実施形態にかかる誘電体フィルタ３００を示す。ただし、図８は、誘電体フィルタ３００の断面図である。
【００７３】
第３実施形態にかかる誘電体フィルタ３００は、第２実施形態にかかる誘電体フィルタ２００に、さらに変更を加えた。具体的には、誘電体フィルタ２００では、共振器孔８ｂ、８ｅの縦方向の大きさが、共振器孔８ａ、８ｃ、８ｄ、８ｆの縦方向の大きさよりも小さかった。そして、共振器孔８ｂ、８ｅの内天面の下面１Ｂからの高さが、共振器孔８ａ、８ｃ、８ｄ、８ｆの内天面の下面１Ｂからの高さよりも低かった。誘電体フィルタ３００は、これに変更を加え、共振器孔３８ａ〜３８ｆの縦方向の大きさを均一にし、共振器孔３８ａ〜３８ｆの内天面の下面１Ｂからの高さを均一にした。そして、共振器孔３８ｂ、３８ｅを分断するスリット３５の下面１Ｂからの高さを、共振器孔３８ａ、３８ｃ、３８ｄ、３８ｆを分断するスリット３４の下面１Ｂからの高さよりも高くした。
【００７４】
誘電体フィルタ３００においても、共振器孔３８ｂ、３８ｅの内面に付着された導体（第２内導体）はスリット３５によって完全に分断され、共振器孔３８ａ、３８ｄの内面に付着された導体（第１内導体）はスリット３４によって不完全に（第１接続内導体１１を残して）分断され、共振器孔３８ｃ、３８ｆの内面に付着された導体（第３内導体）はスリット３４によって不完全に（第３接続内導体１６を残して）分断されている。
【００７５】
［第４実施形態］
図９に、第４実施形態にかかる誘電体フィルタ４００を示す。ただし、図９は、誘電体フィルタ４００の正面図である。
【００７６】
第４実施形態にかかる誘電体フィルタ４００は、第１実施形態にかかる誘電体フィルタ１００に構成を追加した。具体的には、誘電体フィルタ４００は、誘電体フィルタ１００の誘電体ブロック１の正面１Ｆを２カ所において部分的に削り、凹部４１を形成した。具体的には、誘電体ブロック１の正面１Ｆの共振器孔８ｃ、８ｄ部分をそれぞれ削り、凹部４１を形成した。なお、このとき、共振器孔８ｃの内面に形成された第３補助内導体１５、共振器孔８ｄの内面に形成された第１補助内導体１０も、誘電体ブロック１の正面１Ｆと共に削られている。
【００７７】
誘電体フィルタ４００は、誘電体ブロック１の正面１Ｆを部分的に削り、凹部４１を形成することによって、周波数特性を事後的に調整している。
【００７８】
［第５実施形態］
図１０に、第５実施形態にかかる誘電体フィルタ５００を示す。ただし、図１０は、誘電体フィルタ５００の正面１Ｆ側からみた斜視図である。
【００７９】
第５実施形態にかかる誘電体フィルタ５００も、第１実施形態にかかる誘電体フィルタ１００の構成の一部に変更を加えた。具体的には、誘電体フィルタ１００では、スリット４が誘電体ブロック１の下面１Ｂと１対の側面１Ｓに開口を有していた。誘電体フィルタ５００は、これを変更し、スリット５４を、誘電体ブロック１の側面１Ｓ１、１Ｓ２の間を貫通する貫通孔とした。
【００８０】
このように、誘電体ブロック１に形成するスリットには、種々のバリエーションをもたせることができる。
【００８１】
以上、第１実施形態〜第５実施形態にかかる誘電体フィルタ１００、２００、３００、４００、５００について説明した。しかしながら、本発明が上述した内容に限定されることはなく、発明の趣旨に沿って、種々の変更をなすことができる。
【００８２】
たとえば、誘電体フィルタ１００、２００、３００、４００、５００では、共振器孔８ａ〜８ｆ、３８ａ〜３８ｆの断面が矩形であったが、この形状は任意であり、矩形に代えて円形などにしてもよい。
【００８３】
また、誘電体フィルタ１００、２００、３００、４００、５００では、第１主内導体９、第２主内導体１２、第３主内導体１４が誘電体ブロック１の背面１Ｅにおいて外導体３に電気的に接続されており、共振器Ｒｅ１〜Ｒｅ６が１／４波長の共振器であったが、誘電体ブロック１の背面１Ｅにおける内導体と外導体３との電気的な接続を止め、共振器Ｒｅ１〜Ｒｅ６を１／２波長の共振器にしてもよい。
【００８４】
また、誘電体フィルタ１００、２００、３００、４００、５００では、誘電体ブロック１が上側誘電体ブロック１ａと下側誘電体ブロック１ｂとを接合させたものであったが、これに代えて、最初から一体の誘電体ブロックを使用してもよい。なお、この場合には、誘電体ブロックに貫通孔を形成して、共振器孔を形成する。
【００８５】
また、誘電体フィルタ１００、２００、３００、４００、５００は、１対の入出力端子２ａ、２ｂを備えていたが、さらに入出力端子を追加し、マルチプレクサ（デュプレクサを含む）を構成してもよい。
【００８６】
また、誘電体フィルタ１００、２００、３００、４００、５００では、スリット４、２４、３４、３５、５４を、誘電体ブロック１の下面１Ｂ側から形成したが、これに代えて、スリットを誘電体ブロック１の上面１Ｔ側から形成してもよい。
【００８７】
また、誘電体フィルタ１００、２００、３００、４００、５００に形成したスリット４、２４、３４、３５、５４は、製造工程の最後に絶縁体材料（誘電体材料）によって埋めてしまってもよい。
【００８８】
また、誘電体フィルタ１００、２００、３００、４００、５００では、共振器Ｒｅ１と共振器Ｒｅ３とを、間に１つの共振器Ｒｅ２を挟んで飛び越し容量結合させていたが、間に複数の共振器を挟んで飛び越し容量結合させるようにしてもよい。同様に、誘電体フィルタ１００、２００、３００、４００、５００では、共振器Ｒｅ４と共振器Ｒｅ６とを、間に１つの共振器Ｒｅ５を挟んで飛び越し容量結合させていたが、間に複数の共振器を挟んで飛び越し容量結合させるようにしてもよい。
【符号の説明】
【００８９】
１・・・誘電体ブロック
１ａ・・・上側誘電体ブロック
１ｂ・・・下側誘電体ブロック
１Ｂ・・・下面
１Ｔ・・・上面
１Ｆ・・・正面
１Ｅ・・・背面
１Ｓ１、１Ｓ２・・・側面
２ａ、２ｂ・・・入出力端子
３、３ａ・・・外導体
４、２４、３４、３５、５４・・・スリット
５ａ、５ｂ・・・接続導体
６ａ〜６ｊ、７ａ〜７ｄ・・・キャパシタ電極
８ａ〜８ｆ、３８ａ〜３８ｆ・・・共振器孔
９・・・第１主内導体
１０・・・第１補助内導体
１１・・・第１接続内導体
１２・・・第２主内導体
１３・・・第２補助内導体
１４・・・第３主内導体
１５・・・第３補助内導体
１６・・・第３接続内導体
４１・・・凹部
Ｐ１〜Ｐ３・・・極
【図１】
2019220843.tif 000003
【図２】
2019220843.tif 000004
【図３】
2019220843.tif 000005
【図４】
2019220843.tif 000006
【図５】
2019220843.tif 000007
【図６】
2019220843.tif 000008
【図７】
2019220843.tif 000009
【図８】
2019220843.tif 000010
【図９】
2019220843.tif 000011
【図１０】
2019220843.tif 000012
【図１１】
2019220843.tif 000013